(57)【特許請求の範囲】
【請求項１】
コンテンツの内容を表す属性情報を含む電子コンテンツ案内（ＥＣＧ：Ｅｌｅｃｔｒｏｎｉｃ  Ｃｏｎｔｅｎｔｓ  Ｇｕｉｄｅ）情報を表示する受信端末に、通信網を介して接続可能な情報提供装置であって、
前記ＥＣＧ情報を記憶するＥＣＧ情報記憶部と、
前記受信端末の視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を処理する視聴者ＥＩＤ処理部と、
前記受信端末の視聴者以外の視聴者のコンテンツの内容に対する感情を表す感情情報、および前記コンテンツの内容に応じて前記ＥＣＧ情報の提供者が設定する感情情報の組み合わせに基づいてコンテンツＥＩＤを生成するコンテンツＥＩＤ処理部と、
少なくとも１つの前記ＥＣＧ情報を前記属性情報が表すコンテンツに関連付けてＥＣＧユニットを構成し、前記ＥＣＧユニットに前記コンテンツに対応する前記コンテンツＥＩＤを関連付けるＥＣＧユニット構成部と、
前記ＥＣＧユニットに関連付けられた前記コンテンツＥＩＤおよび前記視聴者ＥＩＤに基づいて、前記受信端末に提供する１または２以上の前記ＥＣＧユニットを決定するＥＩＤ適合判断部と、
前記決定された１または２以上のＥＣＧユニットを前記受信端末に前記通信網を介して提供するＥＣＧユニット提供部と、
を備える、情報提供装置。
【請求項２】
前記視聴者ＥＩＤ処理部は、前記受信端末で生成された前記視聴者ＥＩＤを取得する視聴者ＥＩＤ取得部を備える、請求項１に記載の情報提供装置。
【請求項３】
前記視聴者ＥＩＤ処理部は、前記視聴者ＥＩＤを生成する視聴者ＥＩＤ生成部を備える、請求項１に記載の情報提供装置。
【請求項４】
前記視聴者ＥＩＤ処理部は、前記受信端末に記憶されている視聴実績を含む視聴ログを前記受信端末から取得する視聴ログ取得部を備え、前記視聴者ＥＩＤ生成部は、前記視聴ログに基づいて前記視聴者ＥＩＤを生成する、請求項３に記載の情報提供装置。
【請求項５】
前記ＥＣＧユニット構成部は、前記コンテンツに対する前記受信端末の視聴者以外の視聴者による評価を表す評価情報を前記ＥＣＧユニットに関連付けることにより、前記受信端末において表示する複数のＥＣＧユニットに順位付けをする、請求項１に記載の情報提供装置。
【請求項６】
前記視聴者ＥＩＤおよび前記コンテンツＥＩＤは、前記感情情報に応じて設定される色彩情報を含む、請求項１に記載の情報提供装置。
【請求項７】
コンテンツと関連付けられた少なくとも１つの電子コンテンツ案内（ＥＣＧ：Ｅｌｅｃｔｒｏｎｉｃ  Ｃｏｎｔｅｎｔｓ  Ｇｕｉｄｅ）情報と、前記コンテンツの内容に基づいて生成されるコンテンツＥＩＤ（Ｅｍｏｔｉｏｎａｌ  Ｉｄｅｎｔｉｆｉｃａｔｉｏｎ）とを含むＥＣＧユニットを構成する情報提供装置に、通信網を介して接続可能な受信端末であって、
視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を生成するために、前記受信端末に記憶されている視聴実績を含む視聴ログを処理する視聴ログ処理部と、
前記情報提供装置によって構成される１または２以上の前記ＥＣＧユニットのうち、前記視聴者ＥＩＤに適合する前記コンテンツＥＩＤを含む前記ＥＣＧユニットを、前記情報提供装置から前記通信網を介して取得するＥＣＧユニット取得部と、
前記ＥＣＧユニットの表示を制御する表示制御部と、
を備え、
前記コンテンツＥＩＤは、前記受信端末の視聴者以外の視聴者のコンテンツの内容に対する感情を表す感情情報、および前記コンテンツの内容に応じて前記ＥＣＧ情報の提供者が設定する感情情報の組み合わせに基づいて生成される、受信端末。
【請求項８】
前記視聴ログ処理部は、前記視聴ログを前記情報提供装置へ前記通信網を介して送信する視聴ログ送信部を備える、請求項７に記載の受信端末。
【請求項９】
前記視聴ログ処理部は、前記視聴ログに基づいて前記視聴者ＥＩＤを生成する視聴者ＥＩＤ生成部と、前記生成された視聴者ＥＩＤを前記情報提供装置へ通信網を介して送信する視聴者ＥＩＤ送信部と、を備える、請求項７に記載の受信端末。
【請求項１０】
前記視聴者ＥＩＤおよび前記コンテンツＥＩＤは、前記感情情報に応じて設定される色彩情報を含み、前記表示制御部は、前記色彩情報に対応する色を背景として前記ＥＣＧユニットを構成する前記ＥＣＧ情報を前記受信端末に表示させるように制御する、請求項７に記載の受信端末。
【請求項１１】
コンテンツに関する電子コンテンツ案内（ＥＣＧ：Ｅｌｅｃｔｒｏｎｉｃ  Ｃｏｎｔｅｎｔｓ  Ｇｕｉｄｅ）情報を提供する情報提供装置と、前記情報提供装置と通信網を介して接続可能であり、コンテンツの映像情報および前記ＥＣＧ情報を取得して表示する受信端末とからなる、情報提供システムであって、
前記情報提供装置は、
コンテンツの内容を示す属性情報を含む前記ＥＣＧ情報を記憶するＥＣＧ情報記憶部と、
前記受信端末の視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を処理する視聴者ＥＩＤ処理部と、
前記受信端末の視聴者以外の視聴者のコンテンツの内容に対する感情を表す感情情報、および前記コンテンツの内容に応じて前記ＥＣＧ情報の提供者が設定する感情情報の組み合わせに基づいてコンテンツＥＩＤを生成するコンテンツＥＩＤ処理部と、
前記属性情報に基づいて少なくとも１つの前記ＥＣＧ情報をコンテンツに関連付けてＥＣＧユニットを構成し、前記ＥＣＧユニットに前記コンテンツに関するコンテンツＥＩＤを関連付けるＥＣＧユニット構成部と、
前記ＥＣＧユニットに関連付けられたコンテンツＥＩＤおよび前記視聴者ＥＩＤに基づいて、前記受信端末に提供する１または２以上のＥＣＧユニットを決定するＥＩＤ適合判断部と、
前記決定された１または２以上のＥＣＧユニットを前記受信端末に前記通信網を介して提供するＥＣＧユニット提供部と、を備え、
前記受信端末は、
前記視聴者ＥＩＤを生成するために、前記受信端末に記憶されている視聴実績を含む視聴ログを処理する視聴ログ処理部と、
前記ＥＣＧユニットを前記情報提供装置から前記通信網を介して取得するＥＣＧユニット取得部と、
前記ＥＣＧユニットの表示を制御する表示制御部と、を備える、情報提供システム。
【請求項１２】
コンテンツの内容を表す属性情報を含む電子コンテンツ案内（ＥＣＧ：Ｅｌｅｃｔｒｏｎｉｃ  Ｃｏｎｔｅｎｔｓ  Ｇｕｉｄｅ）情報を表示する受信端末に、通信網を介して情報を提供する、情報提供方法であって、
前記ＥＣＧ情報を記憶するＥＣＧ情報記憶ステップと、
前記受信端末の視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を処理する視聴者ＥＩＤ処理ステップと、
前記受信端末の視聴者以外の視聴者のコンテンツの内容に対する感情を表す感情情報、および前記コンテンツの内容に応じて前記ＥＣＧ情報の提供者が設定する感情情報の組み合わせに基づいて生成されるコンテンツＥＩＤを生成するコンテンツＥＩＤ生成ステップと、
前記属性情報に基づいて少なくとも１つの前記ＥＣＧ情報をコンテンツに関連付けてＥＣＧユニットを構成し、前記ＥＣＧユニットに前記コンテンツに対応するコンテンツＥＩＤを関連付けるＥＣＧユニット構成ステップと、
前記ＥＣＧユニットに関連付けられたコンテンツＥＩＤおよび前記視聴者ＥＩＤに基づいて、前記受信端末に提供する１または２以上のＥＣＧユニットを決定するＥＩＤ適合判断ステップと、
前記決定された１または２以上のＥＣＧユニットを前記受信端末に前記通信網を介して提供するＥＣＧユニット提供ステップと、
を含む、情報提供方法。
【請求項１３】
コンテンツの内容を表す属性情報を含む電子コンテンツ案内（ＥＣＧ：Ｅｌｅｃｔｒｏｎｉｃ  Ｃｏｎｔｅｎｔｓ  Ｇｕｉｄｅ）情報を表示する受信端末に、通信網を介して接続可能な情報提供装置に適用されるプログラムであって、コンピュータを、
前記ＥＣＧ情報を記憶するＥＣＧ情報記憶手段、
前記受信端末の視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を処理する視聴者ＥＩＤ処理手段、
前記受信端末の視聴者以外の視聴者のコンテンツの内容に対する感情を表す感情情報、および前記コンテンツの内容に応じて前記ＥＣＧ情報の提供者が設定する感情情報の組み合わせに基づいてコンテンツＥＩＤを生成するコンテンツＥＩＤ処理手段、
前記属性情報に基づいて少なくとも１つの前記ＥＣＧ情報をコンテンツに関連付けてＥＣＧユニットを構成し、前記ＥＣＧユニットに前記コンテンツに対応するコンテンツＥＩＤを関連付けるＥＣＧユニット構成手段、
前記ＥＣＧユニットに関連付けられたコンテンツＥＩＤおよび前記視聴者ＥＩＤに基づいて、前記受信端末に提供する１または２以上のＥＣＧユニットを決定するＥＩＤ適合判断手段、
前記決定された１または２以上のＥＣＧユニットを前記受信端末に前記通信網を介して提供するＥＣＧユニット提供手段、
として機能させるためのプログラム。
【請求項１４】
コンテンツと関連付けられた少なくとも１つの電子コンテンツ案内（ＥＣＧ：Ｅｌｅｃｔｒｏｎｉｃ  Ｃｏｎｔｅｎｔｓ  Ｇｕｉｄｅ）情報と、前記コンテンツの内容に基づいて生成されるコンテンツＥＩＤ（Ｅｍｏｔｉｏｎａｌ  Ｉｄｅｎｔｉｆｉｃａｔｉｏｎ）とを含むＥＣＧユニットを構成する情報提供装置に、通信網を介して接続可能な受信端末において適用されるプログラムであって、前記コンテンツＥＩＤは、前記受信端末の視聴者以外の視聴者のコンテンツの内容に対する感情を表す感情情報、および前記コンテンツの内容に応じて前記ＥＣＧ情報の提供者が設定する感情情報の組み合わせに基づいて生成され、コンピュータを、
視聴者のコンテンツ嗜好を表す感情情報である視聴者感情識別情報（ＥＩＤ：Ｅｍｏｔｉｏｎａｌ  Ｉｄｅｎｔｉｆｉｃａｔｉｏｎ）を生成するために、受信端末に記憶されている視聴実績を含む視聴ログを処理する視聴ログ処理手段、
前記情報提供装置によって構成される１または２以上の前記ＥＣＧユニットのうち、前記視聴者ＥＩＤに適合する前記コンテンツＥＩＤを含む前記ＥＣＧユニットを、前記情報提供装置から前記通信網を介して取得するＥＣＧユニット取得手段、
前記ＥＣＧユニットの表示を制御する表示制御手段、
として機能させるためのプログラム。
【発明の詳細な説明】
【技術分野】
【０００１】
本発明は、情報提供装置、放送受信端末、情報提供システム、情報提供方法、およびプログラムに関する。
【背景技術】
【０００２】
近年、デジタル放送やケーブルテレビジョン等の普及に伴うチャンネル数の増加に対して、電子番組案内（ＥＰＧ：Ｅｌｅｃｔｒｏｎｉｃ  Ｐｒｏｇｒａｍ  Ｇｕｉｄｅ）情報を利用した番組情報の提供がなされている。視聴者はＥＰＧ情報をもとに、多くの番組の中から希望する番組を見つけることができる。視聴者は、好みのジャンル、登場人物などの嗜好情報を登録することにより番組検索の負担を軽減することもできる。一方で本来視聴者の所望する番組が、登録された嗜好情報に基づいたチャンネル以外で放送されることもある。
【０００３】
そこで視聴者の番組選択の負担を軽減し、かつ所望する番組を見逃すことを防止するために、様々な工夫がなされている。例えば、利便性向上のため、番組の視聴履歴や番組情報の取得履歴などから、視聴者の番組嗜好を判定し、それらの情報を用いることにより視聴者にコンテンツの推薦を行う方法が提案されている。
【０００４】
例えば特許文献１には、視聴者の番組選択履歴に基づいて視聴者の嗜好傾向を複数の嗜好パターンのうちのいずれかに特定して、視聴者の嗜好に合致した番組を検索する技術が開示されている。特許文献２には、過去の各種情報取得の履歴によりユーザの嗜好を判定し、この判定結果に基づいて番組情報を選択することにより、ユーザの番組選択の負担を軽減する技術が開示されている。
【０００５】
【特許文献１】特開２０００−１５５７６４号公報
【特許文献２】特開２０００−２０１３０３号公報
【発明の開示】
【発明が解決しようとする課題】
【０００６】
従来は視聴者の視聴履歴等に基づいて特定のジャンル、登場人物、チャンネル等をパラメータとして視聴者の番組嗜好を特定し、かかる番組嗜好に基づいて番組情報などを提供していた。しかし、本来視聴者が所望する番組情報は、このような特定のジャンル、登場人物、チャンネル等に限定されるものではない。例えば、視聴者が所望する番組情報は、その時点での視聴者の感情を満足させるものであることが望ましい。なぜなら、視聴者は一般に、複数の感情要素からなる番組嗜好に基づいて番組などを選択しているからである。例えば、あるアクション映画を視聴する場合において、視聴者はドキドキするといった興奮感情、楽しい気分になりたいという愉快感情等の複数の感情要素に基づいて当該アクション映画を選択する。このような場合に、視聴者の当該感情要素を満足させる番組としては、アクション映画のジャンルに限定されるものではなく、例えばスポーツ番組、クイズ番組等の様々な番組が考えられる。
【０００７】
しかしながら、特定のジャンル、登場人物などをパラメータとする番組嗜好に基づいて番組情報などを提供する従来の方式では、視聴者の感情を満足させることが可能な番組情報などを適切に提供することができない。その結果視聴者は、視聴に際して抱いている感情を満足させることが可能な番組を見逃してしまう場合がある。
【０００８】
そこで、本発明は、上記問題に鑑みてなされたものであり、本発明の目的とするところは、視聴者の感情に基づく番組嗜好に対応した適切な情報を提供することが可能な、新規かつ改良された情報提供装置、放送受信端末、情報提供システム、情報提供方法、およびプログラムを提供することにある。
【課題を解決するための手段】
【０００９】
上記課題を解決するために、本発明の第１の観点によれば、番組の内容を表す属性情報を含む電子番組案内（ＥＣＧ：Ｅｌｅｃｔｒｏｎｉｃ  Ｃｏｎｔｅｎｔｓ  Ｇｕｉｄｅ）情報を表示する放送受信端末に、通信網を介して接続可能な情報提供装置であって、前記ＥＣＧ情報を記憶するＥＣＧ情報記憶部と、前記放送受信端末の視聴者の番組嗜好を表す感情情報である視聴者感情識別情報（ＥＩＤ：Ｅｍｏｔｉｏｎａｌ  Ｉｄｅｎｔｉｆｉｃａｔｉｏｎ）を処理する視聴者ＥＩＤ処理部と、番組の内容に応じて設定される感情情報である番組ＥＩＤを処理する番組ＥＩＤ処理部と、少なくとも１つの前記ＥＣＧ情報を前記属性情報が表す番組に関連付けてＥＣＧユニットを構成し、前記ＥＣＧユニットに前記番組に対応する前記番組ＥＩＤを関連付けるＥＣＧユニット構成部と、前記ＥＣＧユニットに関連付けられた前記番組ＥＩＤおよび前記視聴者ＥＩＤに基づいて、前記放送受信端末に提供する１または２以上の前記ＥＣＧユニットを決定するＥＩＤ適合判断部と、前記決定された１または２以上のＥＣＧユニットを前記放送受信端末に前記通信網を介して提供するＥＣＧユニット提供部と、を備える、情報提供装置が提供される。
【００１０】
かかる構成により、情報提供装置は、ＥＣＧ情報をおよび番組ＥＩＤを含むＥＣＧユニットを構成することができる。情報提供装置はさらに、ＥＣＧユニットを構成する番組ＥＩＤと、視聴者の番組嗜好を表す感情情報である視聴者ＥＩＤとに基づいて、放送受信端末に提供する１または２以上のＥＣＧユニットを決定することができる。情報提供装置はさらに、当該決定された１または２以上のＥＣＧユニットを、通信網を介して放送受信端末に提供することができる。
【００１１】
上記課題を解決するために、本発明の第２の観点によれば、番組と関連付けられた少なくとも１つの電子番組案内（ＥＣＧ：Ｅｌｅｃｔｒｏｎｉｃ  Ｃｏｎｔｅｎｔｓ  Ｇｕｉｄｅ）情報と、前記番組の内容に応じて設定される感情情報である番組ＥＩＤ（Ｅｍｏｔｉｏｎａｌ  Ｉｄｅｎｔｉｆｉｃａｔｉｏｎ）とを含むＥＣＧユニットを構成する情報提供装置に、通信網を介して接続可能な放送受信端末であって、視聴者の番組嗜好を表す感情情報である視聴者感情識別情報（ＥＩＤ：Ｅｍｏｔｉｏｎａｌ  Ｉｄｅｎｔｉｆｉｃａｔｉｏｎ）を生成するために、前記放送受信端末に記憶されている視聴実績を含む視聴ログを処理する視聴ログ処理部と、前記情報提供装置によって構成される１または２以上の前記ＥＣＧユニットのうち、前記視聴者ＥＩＤに適合する前記番組ＥＩＤを含む前記ＥＣＧユニットを、前記情報提供装置から前記通信網を介して取得するＥＣＧユニット取得部と、前記ＥＣＧユニットの表示を制御する表示制御部と、を備える、放送受信端末が提供される。
【００１２】
かかる構成により、放送受信端末は、視聴者の番組嗜好を表す感情情報である視聴者ＥＩＤを生成するために、放送受信端に記憶されている視聴実績を含む視聴ログを処理することができる。放送受信端末はさらに、視聴者ＥＩＤに適合するＥＣＧユニットを、情報提供装置から通信網を介して取得することができる。放送受信端末はさらに、取得したＥＣＧユニットの表示を制御することができる。
【００１３】
上記課題を解決するために、本発明の第３の観点によれば、上記の第１の観点による情報提供装置および第２の観点による放送受信端末を含んで構成される、情報提供システムが提供される。
【００１４】
上記課題を解決するために、本発明の第４の観点によれば、上記の第１の観点による情報提供装置に適用される情報提供方法が提供される。
【００１５】
上記課題を解決するために、本発明の第５の観点によれば、上記の第１の観点による情報提供装置としてコンピュータを機能させるためのプログラムが提供される。
【００１６】
上記課題を解決するために、本発明の第６の観点によれば、上記の第２の観点による放送受信端末としてコンピュータを機能させるためのプログラムが提供される。
【発明の効果】
【００１７】
本発明によれば、視聴者の感情に基づく番組嗜好に対応した適切な情報を提供することが可能な、情報提供装置、放送受信端末、情報提供システム、情報提供方法、およびプログラムを提供することができる。
【発明を実施するための最良の形態】
【００１８】
以下に添付図面を参照しながら、本発明の好適な実施の形態について詳細に説明する。なお、本明細書及び図面において、実質的に同一の部構成を有する構成要素については、同一の符号を付することにより重複説明を省略する。
【００１９】
（情報提供システム１００の全体構成）
図１は、本発明の一実施形態に係る情報提供システム１００の全体構成を概念的に示す説明図である。図１に示すように、情報提供システム１００は主に、電子番組案内（ＥＣＧ：Ｅｌｅｃｔｒｏｎｉｃ  Ｃｏｎｔｅｎｔ  Ｇｕｉｄｅ）情報サーバシステム（情報提供装置）２００（以下ＥＣＧサーバ２００という）と、放送受信端末３００とを含んで構成される。
【００２０】
ＥＣＧサーバ２００は、番組に関するＥＣＧ情報を登録、管理、提供、配信等する機能を有し、番組に関するＥＣＧ情報を、通信網を介して放送受信端末３００に提供する。放送受信端末３００は、番組の映像・音声情報などを、アンテナ等を介して取得して表示すると共に、番組に関するＥＣＧ情報もＥＣＧサーバ２００から通信網を介して取得して表示する。
【００２１】
ここで「ＥＣＧ情報」とは、ある特定の番組に関する個々の情報をいう。例えば、後述されるコンテンツプロバイダ１３０によって提供される番組情報や、スポンサー１４０によって提供される番組に関する関連情報などのそれぞれが、ＥＣＧ情報となることができる。
【００２２】
ＥＣＧサーバ２００は、放送受信端末３００に記憶されている視聴者の番組に関する視聴履歴・閲覧履歴等を含む視聴ログ３３２を取得する。ＥＣＧサーバ２００は、取得した視聴ログ３３２に基づいて、視聴者の感情に基づく番組嗜好を表す視聴者感情識別情報（ＥＩＤ：Ｅｍｏｔｉｏｎａｌ  Ｉｄｅｎｔｉｆｉｃａｔｉｏｎ）２４２を視聴者ＥＩＤ処理システム（視聴者ＥＩＤ処理部）２４０において生成する。
【００２３】
ここで「ＥＩＤ」とは、ある特定の番組に対して視聴者が抱く、例えば「楽しい」、「ドキドキする」などの、少なくとも１つの感情要素に基づいて生成される識別情報である。
【００２４】
ＥＣＧサーバ２００は、不特定多数の視聴者からのある特定の番組に対する意見、感想、口コミ等に基づいて、当該番組に関するコンシューマＥＩＤ２６２を生成する。さらにＥＣＧサーバ２００は、ＥＣＧサーバ２００の管理者（ＥＣＧサービスプロバイダ）１２０によって設定されるある特定の番組に関する感情要素に基づいて、基礎ＥＩＤ２７２を生成する。その後ＥＣＧサーバ２００に備えられる番組ＥＩＤ処理システム（番組ＥＩＤ処理部）２８０は、コンシューマＥＩＤ２６２と基礎ＥＩＤ２７２とを後述される所定条件に基づいて組み合わせることにより、ある特定の番組に関連する番組ＥＩＤ２８２を生成する。なお、詳細は後述されるが、番組ＥＩＤ２８２はコンシューマＥＩＤ２６２と基礎ＥＩＤ２７２とを組み合わせることなく、どちらか一方のみからなることも可能である。
【００２５】
ＥＣＧサーバ２００に備えられるＥＣＧ管理システム（ＥＣＧ管理部）２２０は、１または２以上のＥＣＧ情報を、ある特定の番組と関連付けてＥＣＧユニット２２２を構成する。さらにＥＣＧ管理システム２２０は、前記ＥＣＧユニット２２２に対して、当該番組に関する番組ＥＩＤ２８２を付加する（関連付ける）。
【００２６】
ＥＣＧサーバ２００に備えられるＥＩＤ適合判断システム（ＥＩＤ適合判断部）２５０は、ＥＣＧ管理システム２２０によって管理されているＥＣＧユニット２２２のうち、視聴者ＥＩＤ２４２と適合する番組ＥＩＤ２８２を含む少なくとも１つのＥＩＤユニット２２２を検索する。ＥＣＧサーバ２００はその後、当該選択されたＥＣＧユニット２２２を放送受信端末３００へ通信網を介して提供する。
【００２７】
これによりＥＣＧサーバ２００は、視聴者の感情に基づく番組嗜好に対応した適切なコンテンツ情報を提供することができる。さらに視聴者は、特定のジャンル、登場人物、チャンネルなどに限定されることなく、番組の視聴に際して抱いている感情に適合するコンテンツ情報を選択することができる。
【００２８】
なお、本明細書における「コンテンツ情報」とは、後述されるコンテンツプロバイダ１３０によって提供される番組の内容を示す番組情報のほか、スポンサー１４０によって提供される当該番組に関連する広告情報、商品情報などの様々な関連情報を含んで構成されるものである。すなわち、番組情報に関するＥＣＧ情報および関連情報に関するＥＣＧ情報を含んで構成される情報である。
【００２９】
以下本実施形態に係る情報提供システム１００の詳細について説明する。
【００３０】
図２は、本実施形態に係る情報提供システムの全体構成のモデルを例示する説明図である。図２に示すように、情報提供システム１００は主に、ＥＣＧサーバ２００と、放送受信端末３００と、コンテンツプロバイダ１３０と、スポンサー１４０と、コンシューマ端末１５０とを含んで構成される。
【００３１】
コンテンツプロバイダ１３０は、例えば、テレビ局１３２、データ放送局１３４、番組配信会社１３６などを含む。コンテンツプロバイダ１３０は、各種の番組情報１３８を管理するシステム、例えば、編成システム、素材システム、権利システム、Ｉ／Ｆシステムなどを運用している。番組情報１３８とは、例えば、ＥＰＧ（Ｅｌｅｃｔｒｏｎｉｃ  Ｐｒｏｇｒａｍ  Ｇｕｉｄｅ）情報、編成情報、Ｃｕｅシート（番組内の進行スケジュール）情報、番組フォーマット（タイトル、ＣＭ、番組本編などを提供するパターン）情報、写真・ロゴ情報、番組宣伝用情報、権利情報などを含む。コンテンツプロバイダ１３０は、番組の映像・音声情報、データ放送情報およびＥＰＧ−ＳＩ（Ｅｌｅｃｔｒｏｎｉｃ  Ｐｒｏｇｒａｍ  Ｇｕｉｄｅ−Ｓｅｒｖｉｃｅ  Ｉｎｆｏｒｍａｔｉｏｎ）情報を放送受信端末３００に提供し、各種の番組情報をＥＣＧサーバ２００へ提供する。なお、これらは本実施形態における一例であり、コンテンツプロバイダ１３０は他の様々な放送局等を含むこともでき、他の様々な番組情報等を管理することも当然に可能である。
【００３２】
スポンサー１４０は、例えば、広告、商品または決済代行などのマーチャントサービスを提供する広告会社１４２、物販会社１４４、決済代行会社１４６などを含む。スポンサー１４０は、例えば、広告情報、商品情報、決済情報などの、番組に関する各種の関連情報１４８を、ＥＣＧサーバ２００を介して放送受信端末３００へ提供する。なお、これらは本実施形態における一例であり、スポンサー１４０は、例えば、イベント情報、旅行情報、金融情報などの他の様々な情報を提供する会社等も当然に含むものである。さらにスポンサー１４０は、番組の映像・音楽を提供するコンテンツプロバイダ１３０であってもよい。
【００３３】
コンシューマ端末１５０は、例えば、不特定の視聴者が有するパーソナルコンピュータ（ＰＣ：Ｐｅｒｓｏｎａｌ  Ｃｏｍｐｕｔｅｒ）、携帯電話、ＰＤＡ（Ｐｅｒｓｏｎａｌ  Ｄｉｇｉｔａｌ  Ａｓｓｉｓｔａｎｃｅ）、テレビジョンのリモートコントローラ等である。コンシューマ端末１５０は、例えば、操作部、通信部、表示部、記憶部、制御処理部などを含んで構成されている。コンシューマ端末１５０の所有者が、当該コンシューマ端末１５０を介してＷＥＢ（Ｗｏｒｌｄ  Ｗｉｄｅ  Ｗｅｂ）上に書き込んだ、特定の番組に対する感想、意見、口コミ、評価などの情報は、後述されるコンシューマＥＩＤ２６２を生成するのに利用される。なお、図２においては、１つのコンシューマ端末１５０のみが示されているが、これに限定されるものではなく、当然に複数のコンシューマ端末１５０を含んで構成されることが可能である。
【００３４】
（ＥＣＧサーバ２００の構成）
【００３５】
図２を参照して以下に、ＥＣＧサービスプロバイダ１２０などによって運営されるＥＣＧサーバ２００の構成について説明する。ＥＣＧサーバ２００は主に、ＥＣＧ登録システム２１０と、ＥＣＧ管理システム２２０と、ＥＣＧ提供・配信システム２３０と、視聴者ＥＩＤ処理システム２４０と、ＥＩＤ適合判断システム２５０と、コンシューマＥＩＤ処理システム２６０と、基礎ＥＩＤ処理システム２７０と、番組ＥＩＤ処理システム２８０とを含んで構成される。
【００３６】
ＥＣＧ登録システム２１０は、コンテンツプロバイダ１３０から提供される番組、登場人物、編成スケジュール、番組フォーマット、Ｃｕｅシートなどの番組情報、およびスポンサー１４０から提供される広告情報、商品情報などの関連情報１４８をそれぞれＥＣＧ情報として生成・登録する。ＥＣＧ登録システム２１０は、取得した番組情報や関連情報に対して、番組を識別する属性情報を付加して前記ＥＣＧ情報を生成・登録する。なおＥＣＧ登録システム２１０は、情報提供装置においてはＥＣＧ情報記憶部などとして機能することができる。
【００３７】
ＥＣＧ管理システム２２０は、ＥＣＧ登録システム２１０において登録されている少なくとも１つのＥＣＧ情報を、番組に関連付けて後述されるＥＣＧユニット２２２として構成する。例えば、ある特定の番組に関するＥＣＧユニット２２２は、当該番組に関する属性情報を有する少なくとも１つのＥＣＧ情報を含んで構成される。ＥＣＧ管理システム２２０は、例えば編成情報、番組のＣｕｅシート情報などに従って、ＥＣＧユニット２２２を配信するための配信スケジュールを作成する。ＥＣＧ管理システム２２０は、後述される番組ＥＩＤ処理システム２８０と連携して、ＥＣＧユニット２２２に対して、当該番組と関連付けられた番組ＥＩＤ２８２を付加する。ＥＣＧ管理システム２２０はその後、後述されるＥＩＤ適合判断システム２５０によって検索される、１または２以上のＥＣＧユニット２２２を、放送受信端末３００へ提供するために、後述されるＥＣＧ提供・配信システム２３０へ転送する。なおＥＣＧ管理システム２２０は、情報提供装置においてはＥＣＧユニット構成部などとして機能することができる。
【００３８】
ＥＣＧ提供・配信システム２３０は、ＥＣＧ提供・配信部を有し、これによりＥＣＧ管理システム２２０から転送される１または２以上のＥＣＧユニット２２２を、上述されたＥＣＧ配信スケジュールに従って、放送受信端末３００へ提供・配信する。なおＥＣＧ提供システム２３０は、情報提供装置においてはＥＣＧ情報提供部などとして機能することができる。
【００３９】
視聴者ＥＩＤ処理システム２４０は、放送受信端末３００に記憶されている視聴者の視聴履歴などを含む視聴ログ３３２を放送受信端末３００から通信網を介して取得する、視聴ログ取得部（図示せず）を備える。視聴者ＥＩＤ処理システム２４０はさらに、当該視聴ログ３３２に基づいて、放送受信端末３００の視聴者の番組嗜好を表す視聴者ＥＩＤ２４２を生成する、視聴者ＥＩＤ生成部（図示せず）を備える。なお視聴者ＥＩＤ処理システム２４０は、情報提供装置においては視聴者ＥＩＤ処理部などとして機能することができる。
【００４０】
ここで視聴者ＥＩＤ２４２とは、視聴者が番組に対して抱く、例えば「楽しい」、「ドキドキする」などの、少なくとも１つの感情要素に基づいて視聴者の番組嗜好を識別するための識別情報である。
【００４１】
なお本実施形態においては、視聴者ＥＩＤ２４２は、ＥＣＧサーバ２００に備えられる視聴者ＥＩＤ処理システム２４０によって生成されるが、本発明はこれに限定されるものではない。例えば、放送受信端末３００が、視聴者ＥＩＤ２４２を生成することも可能である。この場合において視聴者ＥＩＤ処理システム２４２は、放送受信端末３００によって生成された視聴者ＥＩＤ２４２を取得する視聴者ＥＩＤ取得部（図示せず）を備えることが可能である。
【００４２】
コンシューマＥＩＤ処理システム２６０は、ある特定の番組に対する不特定の視聴者からの感想、意見、口コミ、評価などの情報に基づいて、コンシューマＥＩＤ２６２を生成する。
【００４３】
ここで本実施形態に係るコンシューマＥＩＤ２６２とは、１または２以上の不特定の視聴者がある特定の番組に対して抱く、例えば「楽しい」、「ドキドキする」などの、少なくとも１つの感情要素に基づいて設定される、視聴者が当該番組に対して抱く感情を識別するための識別情報である。
【００４４】
コンシューマＥＩＤ処理システム２６０は、例えばインターネットの掲示板、ブログなどに書き込まれた情報を解析する構文解析部（図示せず）を備える。構文解析部は、例えばＣＧＭ（Ｃｏｎｓｕｍｅｒ  Ｇｅｎｅｒａｔｅｄ  Ｍｅｄｉａ）解析を行うことができる。ここでＣＧＭ解析とは、例えば、インターネットの掲示板、ブログ等に書き込まれた意見、感想、口コミなどに対して、特定の検索キーワードを設定し、当該キーワードの書き込み件数などを解析することである。
【００４５】
コンシューマＥＩＤ処理システム２６０は、構文解析部により、例えば、番組名、視聴者が抱く感情を表す名詞、形容詞、形容動詞などをキーワードとして、インターネットの掲示板やブログなどに書き込まれた情報をＣＧＭ解析する。これにより、コンシューマＥＩＤ処理システム２６０は、ある特定の番組に対して視聴者が抱いている意見、感想などの感情情報を取得することができる。すなわち、コンシューマＥＩＤ処理システム２６０は、ある特定の番組に対して、「ドキドキする」、「興奮する」、「感動する」、「びっくりする」、「すっきりする」など、不特定の視聴者がどのような感情を抱いているかを感情情報として取得することができる。コンシューマＥＩＤ処理システム２６０はさらに、「お勧め」、「お勧めできない」、「満足」、「不満」などとのキーワードに基づいてＣＧＭ解析を行うことにより、ある特定の番組に対する不特定の視聴者の評価情報も取得することができる。なおコンシューマＥＩＤ処理システム２６０は、情報提供装置においてはコンシューマＥＩＤ処理部などとして機能することができる。
【００４６】
コンシューマＥＩＤ処理システム２６０は、上記のＣＧＭ解析結果およびコンシューマＥＩＤ生成基準に基づいてコンシューマＥＩＤ２６２を生成する。ここでコンシューマＥＩＤ生成基準とは、ＣＧＭ解析結果からコンシューマＥＩＤ２６２を生成するための基準であり、例えばＥＣＧサービスプロバイダ１２０が事前に設定し、コンシューマＥＩＤ処理システム２６０に備えられるコンシューマＥＩＤ生成基準記憶部（図示せず）がこれを管理する。ＥＣＧサービスプロバイダ１２０は、詳細は後述されるが、例えば、ある特定の番組に対する感情を表すキーワードの書き込み件数などの関数としたコンシューマＥＩＤ生成基準を設定することなどができる。
【００４７】
基礎ＥＩＤ処理システム２７０は、ＥＣＧサービスプロバイダ１２０によって設定される基礎ＥＩＤ生成基準に基づいて基礎ＥＩＤ２７２を生成・管理する。
【００４８】
ここで本実施形態に係る基礎ＥＩＤ２７２とは、ＥＣＧサービスプロバイダ１２０によって設定される、例えば「楽しい」、「ドキドキする」などの、少なくとも１つの感情要素に基づいて生成される、ある特定の番組に対して視聴者が抱く感情を識別するための識別情報である。また基礎ＥＩＤ生成基準とは、基礎ＥＩＤ２４２を生成するための基準である。基礎ＥＩＤ生成基準は、詳細は後述されるが、ＥＣＧサービスプロバイダ１２０によって設定され、基礎ＥＩＤ処理システム２７０に備えられる基礎ＥＩＤ生成基準記憶部（図示せず）がこれを管理する。
【００４９】
ＥＣＧサービスプロバイダ１２０は、例えば番組の過去の視聴率、チャンネル変更実績、話題性、番組内容などの様々な情報に基づいて、当該番組を見る視聴者が抱くと想定される感情を予測し、基礎ＥＩＤ生成基準を任意に設定する。基礎ＥＩＤ処理システム２７０は、当該基礎ＥＩＤ生成基準に基づいて、ある特定の番組に関する基礎ＥＩＤ２７２を生成する。なお基礎ＥＩＤ処理システム２７０は、情報提供装置においては基礎ＥＩＤ管理部などとして機能することができる。
【００５０】
番組ＥＩＤ処理システム２８０は、ある特定の番組に関するコンシューマＥＩＤ２６２と当該番組に関する基礎ＥＩＤ２７２とを所定条件で組み合わせることにより、当該番組に関する１つの番組ＥＩＤ２８２を生成する。
【００５１】
ここで本実施形態に係る番組ＥＩＤ２８２とは、ある特定の番組に対して視聴者が抱くと予想される、例えば「楽しい」、「ドキドキする」などの、少なくとも１つの感情を識別するための識別情報である。また、所定条件とは、基礎ＥＩＤ２７２とコンシューマＥＩＤ２６２とを組み合わせるためにＥＣＧサービスプロバイダ１２０によって設定される番組ＥＩＤ生成基準である。
【００５２】
当該番組ＥＩＤ生成基準は、詳細は後述されるが、ＥＣＧサービスプロバイダ１２０によって任意に設定・更新され、番組ＥＩＤ処理システム２８０に備えられる番組ＥＩＤ生成基準記憶部（図示せず）がこれを管理する。ＥＣＧサービスプロバイダ１２０は、例えば新番組である場合やＥＣＧサービスプロバイダ１２０が特にお勧めする番組である場合は、基礎ＥＩＤ２７２に重みを置いた番組ＥＩＤ生成基準を設定することができる。逆に一般視聴者の意見・評価を重視したい場合などは、コンシューマＥＩＤ２６２に重みを置いた番組ＥＩＤ生成基準を設定することができる。なお番組ＥＩＤ処理システム２８０は、情報提供装置においては番組ＥＩＤ処理部などとして機能することができる。
【００５３】
番組ＥＩＤ処理システム２８０は、当該番組ＥＩＤ生成基準に基づいて、ある特定の番組に関する１つの番組ＥＩＤ２８２を生成することができる。
【００５４】
また本実施形態においては、番組ＥＩＤ２８２は、基礎ＥＩＤ２７２およびコンシューマＥＩＤ２６２を組み合わせることにより生成されるが、本発明はこれに限定されるものではない。例えば、番組ＥＩＤ２８２は、基礎ＥＩＤ２７２のみからなることもできる。この場合、ＥＣＧサービスプロバイダ１２０は、コンテンツプロバイダ１３０、スポンサー１４０、専門家などの意向を反映したコンテンツ情報を視聴者に提供することもできる。同様に番組ＥＩＤ２８２は、コンシューマＥＩＤ２６２のみからなることができる。この場合、ＥＣＧサービスプロバイダ１２０は、コンテンツプロバイダ１３０、スポンサー１４０、専門家などの意向を一切考慮せず、不特定の視聴者の意見、感想、口コミ、評価などにのみ基づいて選択される番組情報を視聴者に提供することができる。さらに番組ＥＩＤ２８２は、番組に関する感情を表す他のＥＩＤを含めた３以上のＥＩＤから構成されることも当然に可能である。他のＥＩＤとは、例えば、複数のＷＥＢサイトごとに複数のコンシューマＥＩＤを設ける場合や、複数の専門家ごとに複数の基礎ＥＩＤを設ける場合などが想定される。この場合、ＥＣＧサービスプロバイダ１２０は、複数の専門家および不特定の視聴者などの様々な意見を反映した番組情報を視聴者に提供することができる。
【００５５】
（放送受信端末３００の構成）
放送受信端末３００は、例えば、光ファイバ、ＡＤＳＬ（Ａｓｙｍｍｅｔｒｉｃ  Ｄｉｇｉｔａｌ  Ｓｕｂｓｃｒｉｂｅｒ  Ｌｉｎｅ）、電話モデム、電力線、無線などの通信網を介して外部システムおよび外部機器との間で通信を行う。放送受信端末３００は、例えば、地上波アナログ放送、地上波デジタル放送、ＢＳ（Ｂｒｏａｄｃａｓｔ  Ｓａｔｅｌｌｉｔｅ）放送、１１０度ＣＳ放送、ＣＡＴＶデジタル放送、ＣＡＴＶアナログ放送、光ファイバ放送など、各種の伝送路を介して提供される番組をアンテナ、ＳＴＢ（Ｓｅｔ  Ｔｏｐ  Ｂｏｘ）などを介して受信する。
【００５６】
放送受信端末３００は、放送処理部、表示部、ＥＣＧユニット取得部３１０、表示制御部３２０、視聴ログ処理部３３０などを含んで構成される。ここで放送処理部は、映像・音声情報、データ放送情報をコンテンツプロバイダ１３０から受信し、必要に応じて表示部において再生させる機能を有する。ＥＣＧユニット取得部３１０は、ＥＣＧサーバ２００から通信網を介してＥＣＧユニット２２２を取得する。表示制御部３２０は、取得されたＥＣＧユニット２２２を表示部に表示させ、視聴者の操作に応じて、表示させるＥＣＧユニット２２２を更新する。視聴ログ処理部３３０は、放送受信端末３００での視聴者の視聴実績などを含む視聴ログ３３２を記憶する視聴ログ記憶部（図示せず）と、当該視聴ログ３３２をＥＣＧサーバ２００へ通信網を介して提供する視聴ログ送信部（図示せず）とを備える。
【００５７】
なお本実施形態では、放送受信端末３００が視聴ログ３３２をＥＣＧサーバ２００へ提供し、ＥＣＧサーバ２００が備える視聴者ＥＩＤ処理システム２４０が当該視聴ログ３３２に基づいて視聴者ＥＩＤ２４２を生成するが、本発明はこれに限定されるものではない。例えば、放送受信端末３００において、視聴者ＥＩＤ２４２を生成することも当然に可能である。すなわち、視聴ログ処理部３３０は、視聴ログ３３２に基づいて視聴者ＥＩＤ２４２を生成する視聴者ＥＩＤ生成部を備え、当該生成された視聴者ＥＩＤ２４２をＥＣＧサーバ２００へ提供する視聴者ＥＩＤ送信部を備えることも可能である。
【００５８】
（ＥＣＧユニット２２２の構成）
以下図３を参照にして、上記のＥＣＧ管理システム２２０において管理されるＥＣＧユニット２２２について説明する。
【００５９】
図３は、ＥＣＧユニットの構成を例示する説明図である。図３に示すように、ＥＣＧユニットは、番組ごとに構成され、番組情報を表すＥＣＧ情報、ＷＥＢサイトや登場人物などの関連情報を表すＥＣＧ情報、番組ＥＩＤなどを含んで構成される。また、ＥＣＧユニットは、番組と番組情報、関連情報、番組ＥＩＤとを互いに関連付ける関連付け情報を含んで構成される。各ＥＣＧ情報は、例えばＩＤ番号など、各ＥＣＧ情報を識別可能な識別情報と、番組を識別する属性情報とを含むことができる。
【００６０】
なお、以下では、番組情報を表すＥＣＧ情報を番組情報、関連情報を表すＥＣＧ情報を関連情報と略称する。
【００６１】
図３には、番組Ａ、Ｄ、Ｅに関するＥＣＧユニット１０、２０、３０が示されている。例えば、番組Ａに関するＥＣＧユニット１０は、番組Ａの番組情報１１と、番組Ｄに関するＥＣＧユニット２０へのリンク情報１２、番組Ａに関するＷＥＢサイト１３、登場人物情報１４、ＤＶＤ情報１５、ＣＤ情報１６、カタログ情報１７などの関連情報と、関連付け情報１８とを含む。ＥＣＧユニットは、実行可能なメタデータの形式を有し、放送受信端末３００で実行されると、ＥＣＧユニットを構成する各ＥＣＧ情報が視聴者による操作を介して選択的に、または自動処理を介して順次表示される。
【００６２】
上述されたように、ＥＣＧユニット管理システム２２０によって、各ＥＣＧユニット１０、２０、３０は、それぞれの番組Ａ、Ｄ、Ｅに関連する番組ＥＩＤ１９、２２、３３が付加される。すなわち、例えばＥＣＧユニット１０は、番組Ａに関するコンシューマＥＩＤ２６２および基礎ＥＩＤ２７２に基づいて生成された番組ＥＩＤ１９を含んでいる。
【００６３】
また、ＥＣＧユニットを構成するＥＣＧ情報は、ＥＣＧ情報の識別情報およびＥＣＧユニットごとの関連付け情報に基づいて、ＥＣＧユニット間で相互参照可能に関連付けられる。
【００６４】
例えば、図３に示す例では、まず番組Ａに関するＥＣＧユニット１０が放送受信端末３００において閲覧されている。番組Ａに関するＥＣＧユニット１０は、番組Ａに関連する番組Ｄへのリンク情報１２を含み、当該リンク情報１２は、番組Ｄに関するＥＣＧユニット２０を示す識別情報を含む。番組Ａに関するＥＣＧユニット１０を閲覧中に、このリンク情報１２が視聴者によって選択されると、番組Ａに関するＥＣＧユニット１０の表示が中断され、番組Ｄに関するＥＣＧユニット２０が放送受信端末に表示されることとなる。なお、この状態で、例えば視聴者が「戻る」ボタンなどを操作することにより、番組Ａに関するＥＣＧユニット１０の表示が再開される。
【００６５】
次に番組Ｄに関するＥＣＧユニット２０に含まれる登場人物２１の関連情報が選択された場合を想定する。この場合に、選択された関連情報の識別情報が番組Ｅに関するＥＣＧユニット３０の関連付け情報３２に含まれている場合、番組Ｅに関するＥＣＧユニット３０の関連情報に含まれる登場人物２１に関する関連情報へのリンクが可能となる。
【００６６】
これにより視聴者は、ＥＣＧサーバ２００より提供されるＥＣＧユニット２２２と関連性を有する他のＥＣＧユニットも閲覧することが可能である。
【００６７】
なお、図３において示された各ＥＣＧユニット１０、２０、３０は本実施形態の一例であり、本発明はこれに限定されるものではない。例えば、図３に示された以外の関連情報を含むことも可能であり、番組Ａ、Ｄ、Ｅ以外の番組に関するＥＣＧユニットと関連付けられることも当然に可能である。
【００６８】
前述したように、番組情報および関連情報を表すＥＣＧ情報は、コンテンツプロバイダ１３０から提供される番組情報、スポンサー１２０から提供される関連情報を利用するものである。
【００６９】
コンテンツプロバイダ１３０は、例えば、ＥＰＧ情報、編成情報、番組フォーマット情報、Ｃｕｅシート情報、番組基本情報、番組制作情報、番組ロゴ・写真、番組宣伝用情報、番組販売情報、権利情報など、ＥＣＧ情報として提供可能な番組情報を膨大に蓄積している。
【００７０】
しかし、番組情報は、番組情報の種類に応じて多様なデータ様式・構造を用いて作成管理されているのが実情である。よって、番組情報をＥＣＧ情報として利用するために、番組情報を統一的なデータ様式・構造を用いて作成管理することは困難であり、また、既存の番組情報を体系的にインデックス化、ツリー構造化して管理するためには膨大な労力を要する。なお、スポンサー１２０により蓄積されている広告情報、物販情報についても、番組情報と同様の問題を有している。
【００７１】
このため、番組情報および関連情報をＥＣＧ情報として利用するために、図３に示すようなデータ構造を用いて管理することが提案される。かかるデータ構造を用いるために、まず、多様なデータ様式・構造を用いて作成管理されている番組情報を収集し、インデックス化、ツリー構造化を解いて単位情報に分割する。次に、各単位情報に識別情報を付加し、および属性情報を選択的に付加してＥＣＧ情報に加工し、関連付け情報を用いて特定の番組との関連付けを行うことで、ＥＣＧユニットに組み込む。ここで、属性情報を付加する際には、例えば、単位情報に含まれるキーワードを自動抽出し、抽出したキーワードに基づいて、幾つかのカテゴリ情報などを属性情報として自動的に付加することができる。
【００７２】
さらに、必要に応じて、関連情報をＥＣＧユニットに組込む。このために、まず、番組に関する広告情報、物販情報などの関連情報を検索するための検索条件を番組情報から抽出する。次に、検索条件に従って、既存の広告情報ＤＢ、物販情報ＤＢなどから該当する関連情報を検索し、検索した関連情報に識別情報および属性情報を付加してＥＣＧ情報に加工し、関連付け情報を用いて番組との関連付けを行うことで、ＥＣＧユニットに組込む。
【００７３】
これにより、ＥＣＧサービスプロバイダ１２０は、既存の番組情報および関連情報を体系化することなしに、番組に関するＥＣＧユニットとして効率的に整理することができる。また、前述したＥＣＧユニットのデータ構造により、視聴者は、ＥＣＧサーバ２００より提供されたＥＣＧユニット２２２と関連性を有する他のＥＣＧユニットも必要に応じて直感的に探索することができる。よって、コンテンツプロバイダ１３０、スポンサー１４０が蓄積している番組情報および関連情報を、利便性の高い情報として視聴者に提供することが可能となる。
【００７４】
（ＥＩＤの構成）
本一実施形態に係るＥＣＧサーバ２００によって生成される視聴者ＥＩＤ２４２、コンシューマＥＩＤ２６２、基礎ＥＩＤ２７２の構成について以下図４〜８を参照して説明する。
【００７５】
図４はＥＩＤ４００を概念的に表した説明図である。ＥＩＤ４００は、視聴者が番組の内容に対して抱く感情情報からなる。ここで感情情報とは、番組の内容に対して視聴者が抱く、例えば、喜怒哀楽、共感、反感などの様々な感情を表す情報である。感情情報は、これらの様々な感情を表現する少なくとも１つの感情パラメータから構成される。例えば図４に示す例では、ＥＩＤ４００は、美的感覚情報４２０、対人感情情報４４０、興味・知識情報４６０、愉快情報４８０、興奮情報５００、複雑性情報５２０の複数の感情パラメータから構成されている。さらにこれらの各感情パラメータは、１または２以上の感情要素から構成される。図４に示す例では、対人感情情報４２０の感情パラメータは、「愛らしい」、「かっこいい」、「かわいい」、「色っぽい」の４つの感情要素から構成されている。また興奮情報５００の感情パラメータは「恐ろしい」、「ビックリ」、「ハラハラ」、「ドキドキ」の４つの感情要素から構成されている。他の感情パラメータに関しても同様に複数の感情要素から構成されている。
【００７６】
なお、かかるＥＩＤ４００の構成は本実施形態における一例であり、ＥＩＤ４００は、他の感情パラメータから構成されることも当然に可能である。同様に感情パラメータは、他の感情要素を含むことも当然に可能である。また本実施形態においてＥＩＤ４００は、複数の感情要素を含む各感情パラメータから構成されているが、例えば個々の感情要素をそれぞれ個々の感情パラメータとしてＥＩＤ４００を構成することも可能である。
【００７７】
一般に視聴者はある番組を見ることで、上記の感情要素のうち少なくとも１つの感情要素を抱く。例えば、あるアクション映画の番組を視聴するとき視聴者は、登場人物に対して「カッコいい」という感情要素を抱き、番組内容に対して「ドキドキ」という感情要素を抱き、舞台セットによっては「豪華な」とう感情要素を抱くことが考えられる。また例えば、あるサスペンスドラマの番組を視聴するとき視聴者は、「ハラハラ」という感情要素を抱き、「気になる」という感情要素を抱き、登場人物に対しても「カッコいい」・「かわいい」という感情要素を抱くことが考えられる。このように番組の種類、番組内容、登場人物などに基づいて、視聴者は番組ごとに様々な感情を抱く。さらにこのことは番組単位で一律に定められるものではなく、例えば同一番組内においてもこれらの感情要素は変化する。
【００７８】
例えば、同一の情報番組内においても、各コーナーによって様々な感情を視聴者が抱くことが予想される。例えば料理を紹介するコーナーでは、「おいしい」という感情要素や「芸術的」という感情要素や「楽しい」という感情要素を視聴者が抱くことが予想される。同様に、スポーツコーナーでは、「カッコいい」という感情要素や「知りたい」という感情要素や「すっきり」という感情要素を視聴者が抱くことが予想される。また天気予報コーナーでは、「気になる」という感情要素やキャスターに対する「かわいい」という感情要素を視聴者が抱くことも予想される。
【００７９】
またスポーツの生中継などにおいては、応援しているチームが勝っている場合には、「すっきり」、「楽しい」などの感情を抱き、試合が緊迫した場面においては、「ドキドキ」、「ハラハラ」などの感情を抱くことが考えられる。
【００８０】
このようにある番組対して視聴者は様々な感情を抱く。本実施形態に係るＥＩＤ４００は、上記のような様々な感情要素を含む感情パラメータに基づいて構成される。すなわち、ＥＩＤ４００は、ある特定の番組に対して視聴者が抱く様々な感情を表すものである。
【００８１】
上述されたように、基礎ＥＩＤ処理システム２７０によって基礎ＥＩＤ２７２が生成され、コンシューマＥＩＤ処理システム２６０によってコンシューマＥＩＤ２６２が生成され、視聴者ＥＩＤ処理システム２４０によって視聴者ＥＩＤ２４２が生成される。以下に各ＥＩＤ２７２、２６２、２４２がどのようにして生成されるかを説明する。
【００８２】
基礎ＥＩＤ２７２に関しては、例えばある番組に対して視聴者が抱くと予想される感情要素をＥＣＧサービスプロバイダ１２０が、基礎ＥＩＤ生成基準として設定する。基礎ＥＩＤ処理システム２７０は、この設定された基礎ＥＩＤ生成基準に基づいて基礎ＥＩＤ２７２を生成する。ＥＣＧサービスプロバイダ１２０は、番組内容、過去の視聴率、宣伝広告の度合い、話題性など様々な要素に基づいて任意に基礎ＥＩＤ生成基準を設定・更新することができる。
【００８３】
コンシューマＥＩＤ２６２に関しては、例えばある番組に対して視聴者がインターネットの掲示板、ブログなどに書き込んだ意見、感想、口コミ、評価などの情報に基づいて生成される。上述されたように、コンシューマＥＩＤ処理システム２６０は、例えばインターネットの掲示板、ブログなどに書き込まれた情報をＣＧＭ解析することにより、書き込み者（視聴者）の感情情報を取得することができる。例えば、特定の番組に対して書き込み者が抱いている「ドキドキする」、「興奮する」、「感動する」、「びっくりする」、「すっきりする」などの感情情報を取得し、上述されたコンシューマＥＩＤ生成基準に基づいて当該番組に関するコンシューマＥＩＤ２６２を生成する。
【００８４】
さらにコンシューマＥＩＤ２６２は、上記の感情要素に加えて図４に示すような評価情報５４０を選択的に含むこともできる。一般にある番組に対するブログ等への書き込みは、「お勧め」、「お勧めできない」、「非常に満足」、「満足」、「不満」、「非常に不満」などといった視聴した番組に対する評価も多い。コンシューマＥＩＤ処理システム２６０は、これらの番組に対する評価を表すキーワードに対してもＣＧＭ解析を行うことにより、特定の番組に対する１または２以上の視聴者の評価情報５４０を取得することができる。コンシューマＥＩＤ処理システム２６２は、この評価情報５４０をコンシューマＥＩＤ２６２に含ませることができる。これにより、例えば放送受信端末３００は、ＥＣＧサーバ２００から取得した複数のＥＣＧユニット２２２のうち、コンシューマＥＩＤ２６２が有する評価情報に基づいて表示部への表示順を決定することが可能となる。例えば放送受信端末３００の視聴者は、多くの視聴者が満足した番組を選択することが可能であり、逆に多くの視聴者が不満と感じた番組を選択することも可能である。
【００８５】
視聴者ＥＩＤ２４２に関しては、放送受信端末３００の視聴者の視聴実績に基づいて生成される。本実施形態に係る視聴者ＥＩＤ処理システム２４０は、放送受信端末３００の視聴者の視聴実績を含む視聴ログ３３２を取得し、これに基づいて視聴者ＥＩＤ２４２を生成する。視聴者ＥＩＤ処理システム２４０は、視聴ログ３３２に基づいて、視聴番組のジャンル、視聴時間帯、放送局、番組変更履歴、番組登場人物、視聴期間などの様々な視聴実績を傾向分析する。これにより視聴者ＥＩＤ処理システム２４０は、当該視聴者がどのような感情要素を抱く番組を、どの時間帯に、どの期間視聴したかを認識することができる。この結果視聴者ＥＩＤ処理システム２４０は、当該解析結果に基づいて当該視聴者の番組嗜好を認識することが可能となる。
【００８６】
また視聴者ＥＩＤ処理システム２４０は、上記の解析結果から上述された視聴者ＥＩＤ生成基準に基づいて、視聴者ＥＩＤ２４２を生成する。詳細は後述されるが、ＥＣＧサービスプロバイダ１２０は、この視聴者ＥＩＤ生成基準を任意に生成・更新することができる。
【００８７】
一般に視聴者の番組嗜好はそれぞれ異なるが、視聴者ＥＩＤ処理システム２４０は各視聴者の視聴実績に基づいて、各視聴者の番組嗜好を分析し、各視聴者の視聴者ＥＩＤ２４２を生成する。これにより、ＥＣＧサーバ２００は、それぞれの放送受信端末３００の視聴者の番組嗜好を満足させるＥＣＧユニット２２２を提供することが可能となる。
【００８８】
図５は、ＥＩＤ４００を構成する各感情パラメータの構成例を示す。上述されたように、各感情パラメータは少なくとも１つの感情要素から構成されている。図５の（ａ）に示す例では、美的感覚情報４２０の感情パラメータは、「きらめく」、「美しい」、「豪華な」、「芸術的な」の４つの感情要素からなる。同様に図５の（ｂ）に示す例では、対人感情情報４４０の感情パラメータは、「愛らしい」、「カッコいい」、「かわいい」、「色っぽい」などの感情要素からなる。なお図５においては美的感覚情報４２０および対人感情情報４６０についてのみ示されているが、他の感情パラメータについても同様に構成される。また、図５に示される感情パラメータおよび感情要素は、本実施形態を説明する上での一例であり、これに限定されるものではない。例えば、各感情パラメータは、図５に示される例よりも多くの感情要素または少ない感情要素から構成されることも当然に可能である。
【００８９】
図５に示されるように、各感情パラメータは、視聴者が番組に対して抱く各感情要素のレベル（弱さ、強さ）に基づいて構成されている。例えば、図５に示される美的感覚４２０の感情パラメータの例においては、視聴者はある番組に対して、「きらめく」、「豪華な」という感情はほとんど抱かないが、「美しい」という感情を強く抱き、また「芸術的な」という感情も適度に抱いていることがわかる。他の感情パラメータも同様に、各感情パラメータを構成する感情要素について、視聴者が抱く当該感情要素のレベルに基づいて構成される。なお、図５に示される例では、感情要素のレベルを５段階で表現しているがこれに限定されるものではなく、当然にこれより少ない段階または多い段階のレベルで構成されることも可能である。
【００９０】
このように、ある番組に対して視聴者が抱く各感情要素のレベルに基づいて各感情パラメータが決定され、当該決定された感情パラメータに基づいて当該番組に対するＥＩＤ４００が構成される。例えば図５に示される例では、美的感覚４２０の感情パラメータはａ１５１３となり、同様に対人感情４４０はｂ１１３３となる。他の感情パラメータについても同様に構成される。なお、「ａ」、「ｂ」は感情パラメータの種類を識別するものであるが、これに限定されるものではなく数字や他の記号を用いることも当然に可能である。
【００９１】
上記の結果、ＥＩＤ４００は、図６に示されるように、例えば「ａ１５１３ｂ１１３３ｃ１１１１ｄ１１１１ｅ１１１１ｆ１１１１」となる。
【００９２】
図７はＥＩＤ４００の別の構成例を示す。図７に示されるように、ＥＩＤ４００を構成する各感情パラメータは色彩情報を有することができる。これは例えば、ＥＣＧサービスプロバイダ１２０が、各感情要素に対応した色彩情報を事前にテンプレートとして例えば、各ＥＩＤ処理部２４０、２６０、２７０、２８０などに登録しておくことにより実現される。各感情パラメータは、各感情要素に対応する色彩情報を組み合わせた１つの色彩情報を有する。色彩情報は例えば、赤（Ｒ）、緑（Ｇ）、青（Ｂ）の三原色それぞれの明度・輝度の値とすることができる。色彩情報は例えば、０〜２５５の数字で表現されることも可能であり、０〜１００％のパーセンテージで表現することも可能であり、０〜２５５の数字を１６進記数法で表現することも可能である。
【００９３】
図７に示される例では、色彩情報は０〜２５５の値で表現され、ある特定の番組に対する美的感覚情報の感情パラメータは赤１８０、緑２２７、青１５７の色彩情報を有し、対人感情情報の感情パラメータは赤１５０、緑１９４、青２３４の色彩情報を有する。同様に他の感情パラメータもそれぞれの色彩情報を有している。
【００９４】
この結果、ＥＩＤ４００はこれらの複数の色彩情報を統合することにより、１つの色彩情報を有することとなる。図８に示される例では、ＥＩＤ４００は赤１６０、緑１１０、青１７０の色彩情報を有している。なお、図７および図８において示される色彩情報の値は、本実施形態を説明する上での一例でありこれらに限定されるものではない。
【００９５】
このようにＥＩＤ４００を、色彩情報を用いて生成・管理することにより、ＥＣＧサーバ２００における処理を簡素化することができる。例えば、上記のように視聴者ＥＩＤ２４２と番組ＥＩＤ２８２とを比較する場合においても、お互いのＥＩＤ２４２、２８２が有する色彩情報に基づいて容易に比較することが可能である。さらに、放送受信端末３００は、ＥＣＧサーバ２００から受信したＥＣＧユニット２２２に含まれる番組ＥＩＤ２８２の有する色彩情報に基づいて、当該ＥＣＧユニット２２２を構成するＥＣＧ情報を表示部に表示する際に、背景色として表示することが可能となる。これにより視聴者は、視覚的にＥＣＧ情報がどのような感情を表しているかを経験的に認識することが可能となる。
【００９６】
（放送受信端末３００におけるＥＣＧユニット２２２の表示）
本実施形態に係るＥＣＧサーバ２００によって放送受信端末３００にＥＣＧユニット２２２が提供された場合の、放送受信端末３００におけるＥＣＧユニット２２２の表示について以下図９を参照に説明する。
【００９７】
図９は、本実施形態に係る放送受信端末３００におけるＥＣＧユニット２２２の表示画面を例示する説明図である。視聴者は、放送受信端末３００のＥＣＧサービスをアクティブ化することにより、ＥＣＧサーバ２００から提供されるＥＣＧユニット２２２を、ＥＣＧ情報の単位で閲覧することができる。ＥＣＧユニット２２２は、前述されたように、番組情報、関連情報などを含んで構成されている。
【００９８】
図９では、放送受信端末３００の映像情報表示枠３５０とＥＣＧ情報表示枠３６０とが２画面で表示されている。なお、映像情報表示枠３５０およびＥＣＧ情報表示枠３６０の配置は、例えば、左右反対の配置、上下配置、または重複配置などに変更可能であり、図示される配置に限定されるものではない。放送受信端末３００は、映像表示枠３５０では、コンテンツプロバイダ１２０から提供される映像情報、例えば図９に示される例では、サッカー番組の映像情報を表示する。
【００９９】
ＥＣＧ情報表示枠３６０は、ＥＣＧ情報を表示するＥＣＧ情報表示領域３６２、および操作情報を表示する操作情報表示領域３６４を含む。図９においては、操作情報表示領域３６４に「↑」、「↓」、「→」、「←」、「戻る」が選択可能な操作情報として表示されている。またＥＣＧ情報表示領域３６２では、サッカー中継の番組情報に関するＥＣＧ情報３６６、サッカーの観戦ツアーに関する関連情報３６８、サッカーの過去の名試合のＤＶＤに関する関連情報３７０が表示されている。もちろんこれらは一例であり、本発明はこれに限定されるものではなく、例えば、他の番組情報、チケット情報、選手情報、チームＨＰ情報などの様々なＥＣＧ情報を表示することができる。また、上記のように各ＥＩＤが色彩情報を含む場合においては、放送受信端末３００が備える表示制御部３２９は、取得したＥＣＧユニット２２２に含まれる番組ＥＩＤ２８２が有する色彩情報に基づいた色を背景として、ＥＣＧ情報を表示部に表示することができる。これにより視聴者は、視覚的にＥＣＧ情報がどのような感情を表しているかを経験的に認識することが可能となる。
【０１００】
この表示画面で、例えば、視聴者によって「↑」ボタン、「↓」ボタンが操作されると、ＥＣＧ情報表示領域３６２の表示が上下にスクロールされる。「←」ボタン、「→」ボタンが操作されると、ＥＣＧサーバ２００から提供される他のＥＣＧユニット２２２に含まれるＥＣＧ情報を表示する。ここで視聴者によって「戻る」ボタンが操作されると、１つ前のＥＣＧ情報が再び表示される。
【０１０１】
（ＥＣＧサーバ２００の処理フロー）
本実施形態に係るＥＣＧ管理サーバ２００がＥＣＧユニット２２２を放送受信端末３００に提供する方法について、図１０および図１１を参照に以下説明する。図１０は、本実施形態に係るＥＣＧ管理サーバ２００の情報提供方法のフローチャートを示す。
【０１０２】
ＥＣＧ登録システム２１０は、コンテンツプロバイダ１３０から提供される番組情報などをＥＣＧ情報として登録する（ステップ６００）。コンテンツプロバイダ１２０からは、例えば、番組情報、編成情報、グループ情報、補足情報などが提供され、ＥＣＧ登録システム２１０は、これらの情報に識別情報を付加し、番組の内容を表す属性情報を付加してＥＣＧ情報として登録する。ＥＣＧ登録システム１２０はまた、スポンサーから提供される番組に関する広告情報、物販情報などの関連情報に、当該番組の内容を表す属性情報を付加してＥＣＧ情報として登録する。
【０１０３】
ＥＣＧ管理システム２２０は、ＥＣＧ登録システム２１０に登録された番組情報および関連情報を表すＥＣＧ情報を、番組の内容に関連付けてＥＣＧユニット２２２を生成する（ステップ６０２）。ＥＣＧユニット２２２は、例えばある特定の番組に関する少なくとも１つのＥＣＧ情報から構成される。例えばＥＣＧユニット２２２は、ある特定の番組に関する番組情報と、登場人物情報、広告情報、ＷＥＢ情報、ＤＶＤ情報などの関連情報とからなる。この結果、ＥＣＧ管理システム２２０は、１または２以上の番組のそれぞれに対応する１または２以上のＥＣＧユニット２２２を管理する。
【０１０４】
ＥＣＧ管理システム２２０は、例えば、番組の編成スケジュール、番組フォーマット、Ｃｕｅシートに従って、ＥＣＧユニット２２２の配信スケジュールを作成する（ステップ６０４）。ここで番組は、番組単位で提供開始・終了日時を各々に設定され、編成スケジュール上でスケジューリングされている。一方、番組は、例えば、番組本編の素材、スポンサーＣＭの素材、番組宣伝の素材など多くの番組素材から構成されている。そして、番組素材は、素材単位で提供開始・終了日時を番組フォーマット、Ｃｕｅシート上でスケジューリングされ、番組の進行状況に従ってコンテンツプロバイダ１２０から提供される。このため、ＥＣＧ管理システム２２０は、番組素材の提供スケジュールに従って、例えば、番組本編の素材の提供時には提供中の番組に関するＥＣＧユニット２２２を配信し、番組宣伝の素材の提供時には宣伝対象となる番組に関するＥＣＧユニット２２２を配信する。このためＥＣＧ管理システム２２０は、番組ごとにＥＣＧ配信スケジュールを作成する。
【０１０５】
ＥＣＧサーバ１００の番組ＥＩＤ処理システム２８０は、ある特定の番組に対して視聴者が抱くと想定される感情を表す番組ＥＩＤ２８２を生成する（ステップ６０６）。図１１は、ステップ６０６における番組ＥＩＤ２８２の生成に関する詳細のフローチャートを示す。以下図１１を参照に番組ＥＩＤ２８２の生成について説明する。
【０１０６】
前述されたように番組ＥＩＤ２８２は、基礎ＥＩＤ生成基準に基づいて生成される基礎ＥＩＤ２７２と、口コミ情報などの構文解析結果およびコンシューマＥＩＤ生成基準に基づいて生成されるコンシューマＥＩＤ２６２と、を組み合わせることにより生成される。
【０１０７】
基礎ＥＩＤ処理システム２７０は、ＥＣＧサービスプロバイダ１２０によって設定される基礎ＥＩＤ生成基準に基づいて基礎ＥＩＤ２７２を生成する（ステップ６３０）。基礎ＥＩＤ生成基準とは、例えば番組の過去の視聴実績（視聴率、チャンネル変更頻度、視聴者の年齢層など）や番組の宣伝広告の回数などの、番組に関する様々な情報をもとに、視聴者が当該番組に対して抱くと想定される感情を予測するための指標である。ＥＣＧサービスプロバイダ１２０は、ある特定の番組に関する感情要素を当該基礎ＥＩＤ生成基準として設定する。この際ＥＣＧサービスプロバイダ１２０は、例えば番組のプロデューサや専門家などの意見を参考にして、当該番組に対して視聴者が抱いてほしい感情要素などを特に重点的に設定することなども可能である。これにより、ＥＣＧサービスプロバイダ１２０は、番組の製作者・提供者・専門家などが視聴者に特に抱いてほしい感情要素を含む番組を積極的に推薦することもできる。
【０１０８】
基礎ＥＩＤ２７２は、上述されたように少なくとも１つの感情要素からなる少なくとも１つの感情パラメータによって構成される。またこの際、上述されたように、基礎ＥＩＤ処理システム２７０は、基礎ＥＩＤ２７２を、色彩情報を有する形式で生成することもできる。
【０１０９】
コンシューマＥＩＤ処理システム２６０は、ある特定の番組に対する不特定の視聴者からの意見、感想、口コミ、評価などの情報に基づいて、番組ＥＩＤ２８２を構成するためのコンシューマＥＩＤ２６２を生成する。コンシューマＥＩＤ処理システム２６０は、例えばインターネットの掲示板やブログなどに書き込まれた番組に関する情報の構文解析（ＣＧＭ解析）を行う（ステップ６３２）。コンシューマＥＩＤ処理システム２６０は、例えば、特定の番組名、感情要素を表す特定の名詞、形容詞、形容動詞などをキーワードとして、インターネットの掲示板やブログなどに書き込まれた情報をＣＧＭ解析する。この結果コンシューマＥＩＤ処理システム２６０は、不特定の視聴者がインターネットの掲示板やブログなどに書き込んだ、ある特定の番組や登場人物などに対して抱いた感情要素を表すキーワードの書き込み件数などを認識することができる。
【０１１０】
コンシューマＥＩＤ処理システム２６０は、上述されたように、上記の構文解析結果からコンシューマＥＩＤ２６２を生成するためのコンシューマＥＩＤ生成基準を管理している。ここでコンシューマＥＩＤ生成基準とは、例えば、ある特定の番組に対する感情要素を表すキーワードの書き込み件数などの関数とした一定のしきい値に基づいて当該感情要素のレベルを決定するための指標である。ＥＣＧサービスプロバイダ１２０は、任意にこのコンシューマＥＩＤ生成基準を生成・更新することができる。
【０１１１】
コンシューマＥＩＤ処理システム２６０は、ＣＧＭ解析結果およびコンシューマＥＩＤ生成基準に基づいて、コンシューマＥＩＤ２６２を生成する（ステップ６３４）。この結果コンシューマＥＩＤ２６２は、ある特定の番組や登場人物などに対して、少なくとも一人の不特定の視聴者が抱く感情を表すコンシューマＥＩＤ２６２を生成することができる。なお、上述されたように、コンシューマＥＩＤ処理システム２６０は、コンシューマＥＩＤ２６２を、色彩情報を有する形式で生成することもできる。
【０１１２】
番組ＥＩＤ処理システム２８０は、ある特定の番組に対して視聴者が抱くと想定される感情要素を表す番組ＥＩＤ２８２を生成する。上述されたように、本実施形態に係る番組ＥＩＤ２８０は、基礎ＥＩＤ２７２とコンシューマＥＩＤ２６２とを組み合わせることにより生成される。
【０１１３】
番組ＥＩＤ処理システム２８０は、上記の基礎ＥＩＤ２７２とコンシューマＥＩＤ２６２を組み合わせるための番組ＥＩＤ生成基準を管理している。ここで番組ＥＩＤ生成基準とは、ＥＣＧサービスプロバイダ１２０によって任意に生成・更新される、基礎ＥＩＤ２７２とコンシューマＥＩＤ２６２とを組み合わせるための指標である。例えば、当該番組ＥＩＤ生成基準は、基礎ＥＩＤ２７２を構成する各感情要素のレベルと、コンシューマＥＩＤ２６２を構成する各感情要素のレベルとの平均値を、番組ＥＩＤ２８２を構成する各感情要素のレベルとするように設定されることもできる。また当該番組ＥＩＤ生成基準は、基礎ＥＩＤ２７２を構成する各感情要素のレベルと、コンシューマＥＩＤ２６２を構成する各感情要素のレベルとを、任意の割合で重み付けをして、番組ＥＩＤ２８２を構成する各感情要素のレベルとするように設定されることもできる。ＥＣＧサービスプロバイダ１２０は、このように任意の基準で基礎ＥＩＤ２７２とコンシューマＥＩＤ２６２を組み合わせるように番組ＥＩＤ生成基準を設定することができる。これにより、例えば、新番組などで視聴者からの口コミ情報が少ない場合や、番組制作者・提供者・専門家などが特に推薦する番組などでは、基礎ＥＩＤ２７２の重みを大きくすることができる。一方、雑誌やニュースなどで取り上げられ視聴者の間で話題となっている番組などについては、コンシューマＥＩＤ２６２の重みを大きくすることもできる。
【０１１４】
番組ＥＩＤ処理システム２８０は、上記の番組ＥＩＤ生成基準に基づいて、基礎ＥＩＤ２７２およびコンシューマＥＩＤ２６２を組み合わせることにより、番組ＥＩＤ２８２を生成する（ステップ６３６）。
【０１１５】
なお、上述されたように、番組ＥＩＤ処理システム２８０は、基礎ＥＩＤ２７２の有する色彩情報と、コンシューマＥＩＤ２６２の有する色彩情報とを組み合わせることにより、番組ＥＩＤ２８２を、色彩情報を有する形式で生成することもできる。また本実施形態においては、番組ＥＩＤ２８２は、基礎ＥＩＤ２７２およびコンシューマＥＩＤ２６２の２つを組み合わせることにより構成されるが、本発明はこれに限定されるものではない。例えば、番組ＥＩＤ２８２は、基礎ＥＩＤ２７２のみから構成されることも可能である。同様に番組ＥＩＤ２８２は、コンシューマＥＩＤ２６２のみから構成されることも可能である。さらに番組ＥＩＤ２８２は、番組に関する感情を表す他のＥＩＤを含めた３以上のＥＩＤから構成されることも当然に可能である。
【０１１６】
再び図１０を参照すると、ＥＣＧ管理システム２２０は、ステップ６０２において生成されたＥＣＧユニット２２２に対して、当該ＥＣＧユニット２２２に関連する番組に対してステップ６０６において生成された番組ＥＩＤ２８２を付加する（ステップ６０８）。この結果、ある特定の番組に関するＥＣＧユニット２２２は、当該番組に関する番組情報、登場人物などの関連情報に加えて、当該番組に関して視聴者が抱くと想定される感情要素を表す番組ＥＩＤ２８２を含む。ＥＣＧ管理システム２２０は、上述されたように番組ごとにＥＣＧユニット２２２を管理しているため、それぞれのＥＣＧユニット２２２に対してそれぞれの番組に対する番組ＥＩＤ２８２を付加する。
【０１１７】
視聴者ＥＩＤ処理システム２４０は、視聴者の番組嗜好を表す視聴者ＥＩＤを生成する（ステップ６１０）。視聴者ＥＩＤ処理システム２４０は、受信端末装置３００における視聴者の視聴実績・閲覧実績などを含む視聴ログ３３２を、受信端末装置３００から受信する。視聴者ＥＩＤ処理システム２４０は、当該受信された視聴ログ３３２および視聴者ＥＩＤ生成基準に基づいて視聴者ＥＩＤ２４２を生成する。
【０１１８】
ここで視聴者ＥＩＤ生成基準とは、ＥＣＧサービスプロバイダ１２０によって任意に生成・更新される、視聴者ＥＩＤ２４２を生成するための指標であり、視聴者ＥＩＤ処理システム２４０がこれを管理する。ＥＣＧサービスプロバイダ１２０は、視聴者の視聴実績に応じた任意の視聴者ＥＩＤ生成基準を生成・更新することができる。すなわち、ＥＣＧサービスプロバイダ１２０は、視聴ログ３３２から取得することが可能な、ある特定の番組の視聴時間、視聴回数などの様々な情報に基づいて、視聴者ＥＩＤ生成基準を生成・更新することができる。例えば、視聴者ＥＩＤ生成基準は、視聴者の視聴した番組に関する番組ＥＩＤ２８２を単純に平均化して視聴者ＥＩＤ２４２を生成するように設定されることもできる。また例えば、視聴者ＥＩＤ生成基準は、視聴者の視聴した番組の視聴時間や視聴回数の関数に基づいて、視聴者ＥＩＤ２４２を生成するように設定されることもできる。
【０１１９】
視聴者ＥＩＤ処理システム２４０は、上述されたように、視聴者の番組嗜好を任意の時間帯、曜日などに区分して視聴者ＥＩＤ２４２を生成・管理する。したがって、視聴者ＥＩＤ処理システム２４２は、例えば、ある特定の時間帯における視聴者の番組嗜好を表す視聴者ＥＩＤを有している。もちろん視聴者ＥＩＤ処理システム２４２は、ＥＣＧサーバ２００がＥＣＧユニット２２２を提供するすべての視聴者の視聴者ＥＩＤ２４２を生成・管理することができる。
【０１２０】
なお、上述されたように、視聴者ＥＩＤ処理システム２４０は、視聴者ＥＩＤ２４２を、色彩情報を有する形式で生成することも可能である。また本実施形態においては、視聴者ＥＩＤ処理システム２４０が、放送受信端末３００から視聴ログ３３２を受信し、当該視聴ログ３３２に基づいて視聴者ＥＩＤ２４２を生成するが、本発明はこれに限定されるものではない。例えば、放送受信端末３００自身が、視聴ログ３３２に基づいて視聴者ＥＩＤ２４２を生成し、視聴者ＥＩＤ処理システム２４０が、当該放送受信端末３００によって生成された視聴者ＥＩＤ２４２を、通信網を介して取得することもできる。
【０１２１】
ＥＩＤ適合判断システム２５０はその後、ＥＣＧ管理システム２２０によって管理されているＥＣＧユニット２２２のうち、前記の視聴者ＥＩＤ２４２と適合する番組ＥＩＤ２８２を有するＥＣＧユニット２２２を検索する適合判断を行う（ステップ６１２）。適合判断は、例えば視聴者ＥＩＤ２４２の各感情要素のレベルと完全に一致する感情要素のレベルを有する番組ＥＩＤ２８２を検索することもでき、例えば一定のしきい値に基づいて当該しきい値の範囲内の番組ＥＩＤ２８２を検索することもできる。また上述されたように、番組ＥＩＤ２８２および視聴者ＥＩＤ２４２が色彩情報を含む形式で生成・管理されている場合においては、ＥＩＤ適合判断システム２５０は、当該色彩情報を構成する赤・緑・青の各色彩パラメータの値を基準に適合判断を行うこともできる。
【０１２２】
ステップ６１２において、視聴者ＥＩＤ２４２と適合した番組ＥＩＤ２８２を有するＥＣＧユニット２２２は、ＥＣＧ提供・配信システム２３０によって、放送受信端末３００に通信網を介して提供される。このときＥＣＧ提供・配信システム２３０は、ステップ６０４によって生成されたＥＣＧ配信スケジュールに従って、当該ＥＣＧユニット２２２をＥＣＧ管理システム２２０から取得し、受信端末装置３００に通信網を介して提供する（ステップ６１４）。
【０１２３】
放送受信端末３００は、ＥＣＧサーバ２００より提供されたＥＣＧユニット２２２を表示する。これにより、視聴者は、自己の番組嗜好に適合した番組情報などを選択することができる。またＥＣＧユニット２２２は、視聴者の番組嗜好に基づいて選択されているため、特定のジャンルや登場人物などに限定された番組情報のみならず、当該視聴者の番組嗜好としての感情を満足させることができる様々な番組情報などを提供することができる。この結果視聴者は、番組を視聴する際に抱いている感情を満足させることができる番組情報を逃すことなく選択することが可能となる。
【０１２４】
ステップ６１４においてＥＣＧユニット２２２が放送受信端末３００に提供された後も、
ＥＣＧ登録システム２１０は、コンテンツプロバイダ１３０、スポンサー１４０などからの番組情報や関連情報などの追加の有無を定期的に確認する（ステップ６１６）。番組情報などが追加された場合、ステップ６００に戻り当該追加された情報に基づいて新たなＥＣＧ情報を生成する。これにより、ＥＣＧサーバ２００は、コンテンツプロバイダ１３０などから取得する番組情報などに基づいて、随時ＥＣＧ情報、ＥＣＧユニット２２２を生成・管理することができる。この結果、ＥＣＧサーバ２００は、番組の進行に応じて最新のＥＣＧユニット２２２を放送受信端末３００に提供することが可能となる。同様に視聴者は、番組の視聴に際して抱いている感情を満足させる最新の番組情報などを逃すことなく選択することが可能となる。
【０１２５】
ステップ６１６において、新たな番組情報などの追加がない場合、ＥＣＧサーバ２００は、ステップ６０６に戻る。
【０１２６】
ＥＣＧサービスプロバイダ１２０は、上記のようにコンシューマＥＩＤ２６２を生成するためのコンシューマＥＩＤ生成基準、基礎ＥＩＤ２７２を生成するための基礎ＥＩＤ生成基準を任意に更新することができる。したがってこれらの各基準が更新された場合においても、ステップ６０６において最新の番組ＥＩＤ２８２が生成されることができる。また、例えばある生放送の番組に対して、不特定多数の視聴者から意見、感想、応援などがＷＥＢ上に多く書き込まれた場合なども、ステップ６３２で構文解析を周期的に行うことにより、ステップ６３４で最新のコンシューマＥＩＤ２６２が生成されることができる。このように基礎ＥＩＤ２７２および／またはコンシューマＥＩＤ２６２が変更された場合、番組ＥＩＤ処理システム２８０は、当該変更された基礎ＥＩＤ２７２およびコンシューマＥＩＤ２６２に基づいて、番組ＥＩＤ２８２を定期的に更新する。これにより、番組ＥＩＤ２８２は例えばスポーツ番組、音楽番組などの生放送の番組に関しても、リアルタイムに番組ＥＩＤ２８２を更新することができる。この結果、放送受信端末３００は、リアルタイムに変化する番組の内容に対する感情情報を反映したＥＣＧユニット２２２を取得することができる。すなわち、視聴者は番組嗜好を表す感情を満足させることができる番組情報などをリアルタイムで選択することができる。例えば、「興奮する」、「感動する」などの番組嗜好を有する視聴者に対して、ＥＣＧサーバ２００は、あるスポーツの生放送において緊迫したシーンになったときに当該番組の情報などを提供することができる。
【０１２７】
一方、番組ＥＩＤ２８２が更新されない場合においても、視聴者ＥＩＤ処理システム２４０は、定期的に放送受信端末３００から視聴ログ３３２を取得する。視聴者ＥＩＤ処理システム２４０は、取得した視聴ログ３３２に基づいて定期的に、放送受信端末３００の視聴者の番組嗜好を表す感情情報からなる視聴者ＥＩＤ２４２を更新する。これにより日々変化する視聴者の視聴実績を定期的に取得することができ、視聴者の番組嗜好をより正確に表す視聴者ＥＩＤ２４２を生成・管理することができる。この結果視聴者は、時間帯、曜日、季節などに応じて変化する番組嗜好を表す感情を満足することができる、様々な番組情報などを逃すことなく選択することが可能となる。
【０１２８】
以上のように、本実施形態に係るＥＣＧサーバ２００は、放送受信端末３００の視聴者の番組に対する感情に基づく番組嗜好に適合するＥＣＧユニット２２２を放送受信端末３００に提供することが可能である。また本実施形態に係る放送受信端末３００は、視聴者の番組に対する感情に基づく番組嗜好に適合するＥＣＧユニット２２２をＥＣＧサーバ２００から取得することができる。この結果、視聴者は、特定のジャンル、登場人物、チャンネルなどに限定されることなく、番組を視聴する際に抱いている感情に適合する様々なコンテンツ情報を選択することが可能となる。
【０１２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【０１３０】
【図１】本発明の一実施形態に係る情報提供システム１００の全体構成を概念的に示す説明図である。
【図２】本実施形態に係る情報提供システム１００の全体構成のモデルを例示する説明図である。
【図３】本実施形態に係るＥＣＧユニットの構成を例示する説明図である。
【図４】本実施形態に係るＥＩＤを構成する感情パラメータの概念を例示する説明図である。
【図５】本実施形態に係るＥＩＤを構成する各感情パラメータの値を例示する説明図である。
【図６】本実施形態に係るＥＩＤの値を例示する説明図である。
【図７】本実施形態に係るＥＩＤを構成する各感情パラメータを、色彩情報を利用して管理する例を示す説明図である。
【図８】本実施形態に係るＥＩＤを、色彩情報を利用して管理する例を示す説明図である。
【図９】本実施形態に係る放送受信端末３００におけるＥＣＧユニット２２２の表示を例示する説明図である。
【図１０】本実施形態に係るＥＣＧサーバ２００による情報提供の流れを示すフローチャートである。
【図１１】図１０におけるフローチャートにおける、番組ＥＩＤ２８２の生成に関するフローチャートである。
【符号の説明】
【０１３１】
１００    情報提供システム
１２０    ＥＣＧサービスプロバイダ
１３０    コンテンツプロバイダ
１３８    番組情報
１４０    スポンサー
１４８    コンテンツ情報
１５０    コンシューマ端末
２００    ＥＣＧサーバ
２１０    ＥＣＧ登録システム
２２０    ＥＣＧ管理システム
２２２    ＥＣＧユニット
２３０    ＥＣＧ提供・配信システム
２４０    視聴者ＥＩＤ処理システム
２４２    視聴者ＥＩＤ
２５０    ＥＩＤ適合判断システム
２６０    コンシューマＥＩＤ処理システム
２６２    コンシューマＥＩＤ
２７０    基礎ＥＩＤ処理システム
２７２    基礎ＥＩＤ
３００    放送受信端末
３１０    ＥＣＧユニット取得部
３２０    表示制御部
３３０    視聴ログ処理部
３３２    視聴ログ
【図１】
0005243070.tif 000002
【図２】
0005243070.tif 000003
【図３】
0005243070.tif 000004
【図４】
0005243070.tif 000005
【図５】
0005243070.tif 000006
【図６】
0005243070.tif 000007
【図７】
0005243070.tif 000008
【図８】
0005243070.tif 000009
【図９】
0005243070.tif 000010
【図１０】
0005243070.tif 000011
【図１１】
0005243070.tif 000012